(57)【要約】電気通信システムの制御チャンネルを監視する方法およびシステムにおいて、オーバーヘッドパラメータの送信はアクセス端末に導かれるパケットの送信から分離される。結果として、受信されたオーバーヘッドパラメータのセットが最新であることを現在のメッセージが示したならば、アクセス端末はさらに短い時間期間だけ制御チャンネルを監視することを必要とする。この場合、最新のオーバーヘッドパラメータを有するアクセス端末は同期的なカプセル時間期間の終了前に制御チャンネルの監視を停止する。そうでなければ、アクセス端末は最新のオーバーヘッドパラメータのセットが受信されるまで制御チャンネルを監視し続ける。【選択図】図１２
2004530347.tif 000002
【特許請求の範囲】
【請求項１】
アクセスネットワークとアクセス端末とを含んでいる電気通信システムで制御チャンネルを監視する方法において、
第１の時間期間中に送信されアクセス端末へ導かれるパケットを前記アクセスネットワークで送信し、
第１の時間期間中に送信されるメッセージを前記アクセスネットワークで送信し、
第２の時間期間中に送信されるオーバーヘッドパラメータのセットを前記アクセスネットワークで送信し、
前記メッセージと以前のメッセージとの間の関係に基づいて前記アクセス端末において前記制御チャンネルを監視するステップを含んでいる方法。
【請求項２】
前記メッセージは前記オーバーヘッドパラメータのセットにリンクされている請求項１記載の方法。
【請求項３】
さらに、前記監視においては、前記オーバーヘッドパラメータのセットが最新のものであることを前記メッセージが示したならば、前記第１の時間期間中にのみ制御チャンネルを監視する請求項２記載の方法。
【請求項４】
さらに、前記アクセス端末は前記メッセージが前記以前のメッセージに一致する場合には第１の時間期間の最後において休眠モードに入る請求項３記載の方法。
【請求項５】
前記オーバーヘッドパラメータのセットが最新のものではないことを前記メッセージが示した場合には、前記メッセージが前記以前のメッセージに一致するまで前記制御チャンネルを監視する請求項３記載の方法。
【請求項６】
通信システムで制御チャンネルを監視するシステムにおいて、
アクセス端末へ導かれるパケットとメッセージとを第１の時間期間中に送信するように構成され、オーバーヘッドパラメータのセットを第２の時間期間中に送信するように構成されているアクセスネットワークと、
前記メッセージと以前のメッセージとの間の関係に基づいて前記制御チャンネルを監視するように構成されているアクセス端末とを具備しているシステム。
【請求項７】
前記メッセージは前記オーバーヘッドパラメータのセットにリンクされている請求項６記載のシステム。
【請求項８】
さらに前記オーバーヘッドパラメータのセットが最新のものであることを前記メッセージが示した場合には、前記アクセス端末は前記第１の時間期間中にのみ制御チャンネルを監視するように構成されている請求項７記載のシステム。
【請求項９】
前記アクセス端末はさらに前記メッセージが前記以前のメッセージに一致する場合には第１の時間期間の最後において休眠モードに入るように構成されている請求項８記載のシステム。
【請求項１０】
前記オーバーヘッドパラメータのセットが最新のものではないことを前記メッセージが示した場合には、前記メッセージが前記以前のメッセージに一致するまで前記アクセス端末は前記制御チャンネルを監視するように構成されている請求項８記載のシステム。
【請求項１１】
アクセスネットワークとアクセス端末とを含んでいる電気通信システムで制御チャンネルを監視する方法において、
第１の時間期間中に前記アクセス端末へ導かれるパケットを前記アクセスネットワークで受信し、
前記第１の時間期間中にメッセージを前記アクセス端末で受信し、
前記メッセージと以前のメッセージとの間の関係に基づいてオーバーヘッドパラメータのセットを受信するために前記アクセス端末で前記制御チャンネルを監視するステップを含んでいる方法。
【請求項１２】
前記メッセージは前記オーバーヘッドパラメータのセットにリンクされている請求項１１記載の方法。
【請求項１３】
さらに、前記オーバーヘッドパラメータのセットが最新のものであることを前記メッセージが示した場合には、前記第１の時間期間中にのみ制御チャンネルを監視する請求項１２記載の方法。
【請求項１４】
さらに、前記アクセス端末は前記メッセージが前記以前のメッセージに一致する場合には第１の時間期間の最後において休眠モードに入る請求項１３記載の方法。
【請求項１５】
前記オーバーヘッドパラメータのセットが最新のものではないことを前記メッセージが示した場合には、前記メッセージが前記以前のメッセージに一致するまで前記制御チャンネルを監視する請求項１３記載の方法。
【請求項１６】
電気通信システムで制御チャンネルを監視するアクセス端末において、
第１の時間期間中に前記アクセス端末へ導かれるパケットを受信する手段と、
前記第１の時間期間中にメッセージを受信する手段と、
前記メッセージと以前のメッセージとの間の関係に基づいてオーバーヘッドパラメータのセットを受信するために前記制御チャンネルを監視する手段とを具備しているアクセス端末。
【請求項１７】
前記メッセージは前記オーバーヘッドパラメータのセットにリンクされている請求項１６記載のアクセス端末。
【請求項１８】
前記監視手段はさらに、
前記オーバーヘッドパラメータのセットが最新のものであることを前記メッセージが示した場合には、前記第１の時間期間中にのみ前記制御チャンネルを監視する手段を備えている請求項１７記載のアクセス端末。
【請求項１９】
前記監視手段はさらに、
前記メッセージが前記以前のメッセージに一致する場合には前記第１の時間期間の最後において休眠モードに入る手段を備えている請求項１８記載のアクセス端末。
【請求項２０】
前記監視手段はさらに、
前記オーバーヘッドパラメータのセットが最新のものではないことを前記メッセージが示した場合には、前記メッセージが前記以前のメッセージに一致するまで前記制御チャンネルを監視する手段を備えている請求項１８記載のアクセス端末。
【請求項２１】
電気通信システムで制御チャンネルを監視する方法を実施するコンピュータの読取り可能な媒体において、前記監視する方法は、
第１の時間期間中にアクセス端末へ導かれるパケットを受信し、
前記第１の時間期間中にメッセージを受信し、
前記メッセージと以前のメッセージとの間の関係に基づいてオーバーヘッドパラメータのセットを受信するために前記制御チャンネルを監視するコンピュータの読取り可能な媒体。
【請求項２２】
前記メッセージは前記オーバーヘッドパラメータのセットにリンクされている請求項２１記載のコンピュータの読取り可能な媒体。
【請求項２３】
前記監視においてはさらに、
前記オーバーヘッドパラメータのセットが最新のものであることを前記メッセージが示した場合には、前記第１の時間期間中にのみ前記制御チャンネルを監視する請求項２２記載のコンピュータの読取り可能な媒体。
【請求項２４】
前記メッセージが前記以前のメッセージに一致する場合には前記第１の時間期間の最後において休眠モードに入るように構成されている請求項２３記載のコンピュータの読取り可能な媒体。
【請求項２５】
前記監視においてはさらに、
前記オーバーヘッドパラメータのセットが最新のものではないことを前記メッセージが示した場合には、前記メッセージが前記以前のメッセージに一致するまで前記制御チャンネルを監視する請求項２３記載のコンピュータの読取り可能な媒体。
【請求項２６】
電気通信システムで制御チャンネル情報を送信するアクセスネットワークにおいて、
第１の時間期間中にアクセス端末へ導かれるパケットを送信する手段と、
前記第１の時間期間中にメッセージを送信する手段と、
第２の時間期間中にオーバーヘッドパラメータのセットを送信する手段とを具備しているアクセスネットワーク。
【請求項２７】
前記メッセージは前記オーバーヘッドパラメータのセットにリンクされている請求項２６記載のシステム。
【請求項２８】
電気通信システムで制御チャンネル情報を送信する方法において、
第１の時間期間中にアクセス端末へ導かれるパケットを送信し、
前記第１の時間期間中にメッセージを送信し、
第２の時間期間中にオーバーヘッドパラメータのセットを送信するステップを含んでいる方法。
【請求項２９】
前記メッセージは前記オーバーヘッドパラメータのセットにリンクされている請求項２８記載の方法。
【請求項３０】
電気通信システムで制御チャンネル情報を送信する方法を実施するコンピュータの読取り可能な媒体において、前記送信方法は、
第１の時間期間中にアクセス端末へ導かれるパケットを送信し、
前記第１の時間期間中にメッセージを送信し、
第２の時間期間中にオーバーヘッドパラメータのセットを送信するステップを含んでいるコンピュータの読取り可能な媒体。
【請求項３１】
前記メッセージは前記オーバーヘッドパラメータのセットにリンクされている請求項３１記載のコンピュータの読取り可能な媒体。
【請求項３２】
電気通信システムで制御チャンネルを監視するアクセス端末において、
受信装置と、
第１の時間期間中に前記アクセス端末へ導かれるパケットと、
前記第１の時間期間中のメッセージと、
前記メッセージと以前のメッセージとの間の関係に基づいてオーバーヘッドパラメータのセットを受信するか否かを前記受信装置に命令するように構成されている制御装置とを具備しているアクセス端末。
【請求項３３】
電気通信システムで制御チャンネル情報を送信するアクセスネットワークにおいて、
送信装置と、
第１の時間期間中に前記アクセス端末へ導かれるパケットと、
前記第１の時間期間中のメッセージと、
第２の期間中にオーバーヘッドパラメータのセットを送信するように前記送信装置に命令するように構成されている制御装置とを具備しているアクセスネットワーク。
【発明の詳細な説明】
【技術分野】
【０００１】
本発明は一般的に通信技術に関し、特に制御チャンネルを監視しながら待機時間を最大にすることに関する。
【背景技術】
【０００２】
ＣＤＭＡ無線電気通信システムのＩＳ−９５ファミリのような電気通信システムには、基地局またはセルサイトから発生する幾つかのタイプのコード化されたチャンネルと移動局または加入者装置から発生する幾つかのタイプのコード化されたチャンネルとが存在する。これらのチャンネルは必要な制御データおよび信号を搬送するチャンネルと、音声、データ、および制御データを搬送するチャンネルとを含んでいる。
【０００３】
制御チャンネルは移動局がアクセスおよびページング動作に対して必要とするメッセージおよびパラメータを送信する。メッセージおよびパラメータはシステムパラメータ、アクセスパラメータ、近隣リスト、移動体誘導ページングメッセージ、移動体誘導命令、チャンネル割当て情報を移動局へ伝送する。制御チャンネルは進行中の呼が存在しないとき、即ち移動局がアイドル状態であるとき移動局との通信に使用される。
【０００４】
アイドル状態では、移動局は順方向リンクで基地局から送信された移動体誘導メッセージおよびパラメータを監視する。移動局は制御チャンネルを監視するとき休眠または待機モードを使用する。休眠または待機モード中、移動局は休眠状態になり、即ち不必要な機能を遮断し、制御チャンネルを監視するために周期的にウェークアップする。
【０００５】
ここで参考文献とされている米国特許第6,111,865 号明細書（発明の名称“DUAL CHANNEL SLOTTED PAGING ”）と、1999年３月19日出願の米国特許出願第09/272,802号明細書（発明の名称“METHOD AND APPARATUS FOR SUPERVISING THE PERFORMANCE OF A QUICK PAGING CHANNEL IN A DUAL EVENT SLOTTED PAGING SYSTEM”）に記載されているページング方式は迅速なページングチャンネルと組合わせたフルページングチャンネルの基本的な構成を示している。
【０００６】
基地局は割当て制御タイムスロット中へ制御チャンネル情報を挿入し、これは移動局が監視することを知っている。移動局はスロットを有しないモードまたはスロットモードで順方向リンクを監視する。スロットを有しないモードでは、移動局は順方向リンクを連続的に監視する。スロットモードでは移動局は割当てられた制御チャンネルサイクル中のみ制御チャンネルを監視する。後者の場合、移動局は全てのスロットをいつも監視する必要はないので、スロットモードで動作する移動局は多少は電池のパワーを節約する。スロットモードの制御チャンネルは米国特許第5,509,015 号明細書（発明の名称“METHOD AND APPARATUS FOR SCHEDULING COMMUNICATION BETWEEN TRANSCEIVERS”）と1999年２月19日出願の米国特許出願第09/252,846号明細書（発明の名称“A METHOD AND APPARATUS FOR MAXIMIZING STANDBY TIME USING A QUICK PAGING CHANNEL ”）にさらに詳細に記載されており、この両者は本発明の出願人に譲渡され、ここで参考文献とされている。
【発明の開示】
【発明が解決しようとする課題】
【０００７】
電池のパワーの節約に着目すると、移動局が休眠モードである時間を最大にすることが望ましい。それ故、移動局が制御チャンネルで送信される全てのメッセージおよびパラメータを迅速に受信することを確実にしながら移動局が待機または休眠モードである時間の量を増加する制御チャンネルの効率のよい監視システムおよび方法が技術で必要とされている。
【課題を解決するための手段】
【０００８】
本発明の１特徴によると、電気通信システムで制御チャンネルを監視する方法は、第１の時間期間中にアクセス端末へ導かれるパケットをアクセスネットワークで送信し、第１の時間期間中にメッセージを送信し、第２の時間期間中にオーバーヘッドパラメータのセットを送信するステップを含んでいる。この方法はさらに、現在と以前のメッセージ間の関係に基づいてアクセス端末で制御チャンネルを監視するステップを含んでいる。
【０００９】
本発明の別の特徴によると、電気通信システムにおいて制御チャンネルを監視する方法は、第１の時間インターバル中にアクセス端末へ導かれるパケットとメッセージとをアクセス端末で受信するステップをさらに含んでいる。この方法はさらに、現在のメッセージと以前のメッセージとの間の関係に基づいて、第２の時間期間中に送信されたオーバーヘッドパラメータのセットを受信するために制御チャンネルを監視するステップをさらに含んでいる。
【００１０】
本発明の別の特徴によると、電気通信システムにおいて制御チャンネル情報を送信する方法は、第１の時間期間中にアクセス端末に導かれるパケットを送信し、第１の時間期間中にメッセージを送信し、第２の時間期間中にオーバーヘッドパラメータのセットを送信するステップを含んでいる。
【００１１】
前述の特徴では、メッセージおよびオーバーヘッドパラメータのセットは相互にリンクされてもよい。さらにアクセス端末は受信されたオーバーヘッドパラメータのセットが最新であることを現在のメッセージが示したならば、第１の時間期間中にのみ制御チャンネルを監視する必要がある。この場合、アクセス端末は第１の時間インターバルの最後で休眠モードに入る。そうでなければアクセス端末はそれがオーバーヘッドパラメータの最新のセットを受信するまで制御チャンネルを監視し続ける。
【発明を実施するための最良の形態】
【００１２】
本発明の特徴、特性、効果は図面を伴った以下の詳細な説明からさらに明白になるであろう。同一の参照符号は全体を通して同一である。
図１は複数のユーザをサポートし、本発明の種々の特徴を実行することができる無線通信システム100 の概略図である。システム100 は多数のセルに対して通信を行い、各セルは対応する基地局104 によりサービスされる。基地局はまた通常ベーストランシーバシステム（ＢＴＳ）とも呼ばれている。種々の移動局または遠隔端末106 はシステム全体で分散されている。各移動局106 は移動局がアクチブであるか否かおよびソフトハンドオフ中であるか否かに基づいて、任意の特定の瞬間に順方向リンクおよび逆方向リンクで１以上の基地局104 と通信することができる。順方向リンクは基地局104 から移動局106 への送信を意味し、逆方向リンクは移動局106 から基地局104 への送信を意味している。図１に示されているように、基地局104Aは移動局106A、106B、106C、106Dと通信し、基地局104Bは移動局106D、106E、106Fと通信する。移動局106Dはソフトハンドオフ中であり、同時に基地局104Aと104Bと通信している。
【００１３】
システム100 では、基地局制御装置（ＢＳＣ）102 は基地局104 と結合し、さらに公共交換電話網（ＰＳＴＮ）に結合されている。ＰＳＴＮへの結合は移動体交換センタ（ＭＳＣ）により実現され、これは図面を簡明にするために図１には示されていない。ＢＳＣ102 はそこに結合されている基地局の調節および制御を行う。ＢＳＣ102 はさらに移動局106 間および移動局106 とＰＳＴＮ（例えば一般的な電話機）およびパケットネットワークに結合するユーザ間の電話呼の伝送を基地局104 を介して制御する。
【００１４】
システム100 は（１）“TIA/EIA-95-B Mobile Station-Base Station Compatibility Standard for Dual-Mode Wideband Spread Spectrum Cellular System”（IS-95 標準）、（２）“3rd Generation Partnership Project”（3GPP）という名称の組合により提出され、文書番号3G TS 25.211、3G TS 25.212、3G TS 25.213、3G TS 25.214（Ｗ−ＣＤＭＡ標準）を含む１組の文書で実施されている文献、（３）“3rd Generation Partnership Project2 ”（3GPP2 ）という名称の組合により提出され、文書番号C.S0002-A 、C.S0005-A 、C.S0010-A 、C.S0011-A 、C.S0024 、C.S0026 （ｃｄｍａ２０００標準）を含む１組の文献等に示されるような１以上のＣＤＭＡ標準方式をサポートするように設計されている。３ＧＰＰおよび３ＧＰＰ２文書の場合、これらは世界規模の標準的なボディ（例えばＴＩＡ、ＥＴＳＩ、ＡＲＩＢ、ＴＴＡ、ＣＷＴＳ）により地域的な標準に変換され、国際電気通信連合（ＩＴＵ）による国際標準に変換される。これらの標準はここで参考文献とされている。
【００１５】
図２は基地局204 と移動局206 の１実施形態の簡単なブロック図であり、これらは本発明の種々の特徴を実行することができる。特定の通信では、音声データ、パケットデータおよび／またはメッセージは基地局204 と移動局206 との間でエアインターフェース208 を介して交換される。基地局と移動局間に通信セッションを設けるために使用されるメッセージおよびデータ送信の制御に使用されるメッセージ（例えばパワー制御、データレート情報、受取り等）のような種々のタイプのメッセージが送信される。これらのメッセージの幾つかのタイプを以下さらに詳細に説明する。
【００１６】
逆方向リンクでは、移動局206 で、（例えばデータソース210 からの）音声および／またはパケットデータと（例えば制御装置230 からの）メッセージは送信（ＴＸ）データプロセッサ212 へ与えられ、この送信（ＴＸ）データプロセッサ212 はコード化されたデータを発生するためデータおよびメッセージを１以上のコード化方式でフォーマットし符号化する。各コード化方式は巡回冗長検査（ＣＲＣ）、重畳、ターボ、ブロック、その他のコード化または全くコード化なしの任意の組合わせを含んでいる。音声データ、パケットデータ、メッセージは異なる方式を使用してコード化され、異なるタイプのメッセージは相違してコード化されてもよい。
【００１７】
コード化されたデータはその後変調器（ＭＯＤ）214 へ与えられ、さらに処理される（例えばカバーされ、短いＰＮシーケンスで拡散され、移動局に割当てられた長いＰＮシーケンスでスクランブルされる）。変調されたデータはその後、逆方向リンク信号を発生するために送信機“ＴＭＴＲ”216 へ与えられ調節される（例えば１以上のアナログ信号に変換され、増幅され、濾波され、直交変調される）。逆方向リンク信号はデュプレクサ（Ｄ）218 を経て伝送され、アンテナ220 を経て基地局204 へ送信される。
【００１８】
基地局204 においては、逆方向リンク信号はアンテナ250 により受信され、デュプレクサ252 を経て伝送され、受信機“ＲＣＶＲ”254 へ与えられる。受信機254 は受信された信号を調節し（例えば濾波、増幅、下方変換、デジタル化）、サンプルを提供する。復調器“ＤＥＭＯＤ”256 は再生されたシンボルを与えるためサンプルを受信し処理する（例えばデスプレッド、デカバー、パイロット復調）。復調器256 は受信された信号の多数のインスタンスを処理し、結合されたシンボルを発生するレーク受信機を構成する。受信（ＲＸ）データプロセッサ258 はその後、逆方向リンクで送信されたデータおよびメッセージを再生するためにシンボルを復号する。再生された音声／パケットデータはデータシンク260 へ与えられ、再生されたメッセージは制御装置270 へ与えられる。復調器256 とＲＸデータプロセッサ258 による処理は遠隔端末206 で実行される処理に対して相補的である。復調器256 とＲＸデータプロセッサ258 は多数のチャンネル、例えば逆方向基本チャンネル（Ｒ−ＦＣＨ）および逆方向補足チャンネル（Ｒ−ＳＣＨ）により受信された多数の送信を処理するようにさらに動作される。また、送信は多数の遠隔端末から同時に行われてもよく、各遠隔端末は逆方向基本チャンネル、逆方向補足チャンネルまたはその両者で送信することができる。
【００１９】
順方向リンクでは、基地局204 で、（例えばデータソース262 からの）音声および／またはパケットデータと（例えば制御装置270 からの）メッセージは送信（ＴＸ）データプロセッサ264 により処理され（例えばフォーマットされ符号化され）、さらに変調器（ＭＯＤ）266 により処理され（例えばカバーされ拡散され）、順方向リンク信号を発生するために送信機“ＴＭＴＲ”268 により調整される（例えばアナログ信号に変換され、増幅され、濾波され、直角変調される）。順方向リンク信号はデュプレクサ（Ｄ）252 を通って伝送され、アンテナ250 により移動局206 へ送信される。
【００２０】
移動局206 において、順方向リンク信号はアンテナ220 により受信され、デュプレクサ（Ｄ）218 を通して伝送され、受信機“ＲＣＶＲ”222 へ与えられる。受信機222 は受信された信号を調整し（例えば下方変換、濾波、増幅、直角変調、デジタル化）、サンプルを与える。サンプルはシンボルを与えるために復調器（ＤＥＭＯＤ）224 により処理されて（例えばデスプレッド、デカバー、パイロット復調）シンボルが得られ、そのシンボルは順方向リンクで送信されたデータおよびメッセージを再生するために受信（ＲＸ）データプロセッサ226 によりさらに処理される（例えば復号およびチェック）。再生されたデータはデータシンク228 へ与えられ、再生されたメッセージは制御装置230 へ与えられる。
【００２１】
［アーキテクチャ基準モデル］
図２で与えられたシステムは基地局204 （以後“アクセスネットワーク”という）、移動局206 （以後“アクセス端末”という）、およびアクセスネットワークとアクセス端末との間のエアインターフェース208 を含んでいるアーキテクチャ基準モデルとして考慮されている。通常、アクセスネットワーク（ＡＮ）はインターネットのようなパケット交換データネットワークとアクセス端末（ＡＴ）との間にデータ接続を設けるネットワーク装置を含んでいる。ＡＴはユーザへデータ接続を設ける装置を含んでいる。ＡＴはラップトップパーソナルコンピュータ等のコンピュータ装置に接続されるか、またはパーソナルデジタルアシスタント（ＰＤＡ）等の自蔵データ装置であってもよい。ＡＴは可動または静止型であり、１以上の基地局と通信する。ＡＴは１以上のモデムプールトランシーバにより基地局モデムプール制御装置との間でデータパケットを送信し受信する。モデムプールトランシーバとモデムプール制御装置はアクセスネットワークの一部であってもよい。ＡＴは無線チャンネルまたは有線チャンネル、例えば光ファイバ或いは同軸ケーブルの使用により通信する任意のデータ装置である。ＡＴはさらにＰＣカード、コンパクトフラッシュ、外部または内部モデムまたは無線またはワイヤライン電話機を含む任意の１つの装置であってもよいが、それらに限定されない。アクセス端末が信号をモデムプールトランシーバへ送信する通信リンクは逆方向リンクと呼ばれる。モデムプールトランシーバが信号をアクセス端末へ送信する通信リンクは順方向リンクと呼ばれる。
【００２２】
［プロトコルアーキテクチャ］
エアインターフェース208 （図２）は層をなしており、インターフェースが各層および、各層内の各プロトコルに対して規定されており、それ故、層およびプロトコルにはスケール能力が与えられている。表１はエアインターフェース208 の層をなしたアーキテクチャを示している。各層は層の機能を行う１以上のプロトコルを含んでもよい。
表１．エアインターフェースの階層構造
アプリケーション層
ストリーム層
セッション層
接続層
セキュリティ層
ＭＡＣ層
物理層
各層内のプロトコルは情報をエアリンクの他方の側のピアエンティティへ伝達するためシグナリングメッセージまたはヘッダを使用する。プロトコルがメッセージを送信するとき、これらはこれらのメッセージを送信するためにシグナリングネットワークプロトコル（ＳＮＰ）を使用する。
【００２３】
図３は本発明の１実施形態にしたがって、表１に示された各層で規定されているプロトコルを示している。これらのプロトコルを以下、簡単に説明する。
【００２４】
アプリケーション層302 は以下のプロトコルを含んでいる。
シグナリングネットワークプロトコル（ＳＮＰ）：これはシグナリングメッセージのメッセージ送信サービスを提供する。
シグナリングリンクプロトコル（ＳＬＰ）：これはシグナリングメッセージの確実で最善の転送機構を伴って断片化機構を与え、デフォルトシグナリングアプリケーションのコンテキストで使用されるとき、ＳＮＰパケットを伝送する。
【００２５】
無線リンクプロトコル（ＲＬＰ）：これは再送信を行いデータ流の検出を二倍にする。
位置更新プロトコル：これはデフォルトパケットアプリケーションの可動管理をサポートする位置更新手順およびメッセージを規定する。
フロー制御プロトコル：これはパケットアプリケーションデータ流をエネーブルおよびディスエーブルするフロー制御手順を規定する。
【００２６】
ストリーム層304 は送信方向においてストリームヘッダを付加し、ストリームヘッダを除去し、パケットを受信エンティティの正確なアプリケーションへ転送する。
【００２７】
セッション層306 は以下のプロトコルを含んでいる。
セッション管理プロトコル：これはセッションキープアライブ（alive ）機構ならびにアドレス管理プロトコルおよびセッション構成プロトコルの付勢および減勢を制御する手段を与える。
アドレス管理プロトコル：これはアクセス端末識別子（ＡＴＩ）管理を行う。
セッション構成プロトコル：これは１セッションで使用されるプロトコルの交渉および構成を行う。
【００２８】
接続層308 はエアインターフェースの状態を制御し、そこを通って送信されたトラフィックに優先順位を付ける。接続は閉または開のいずれかである。
【００２９】
閉接続：接続が閉じたとき、アクセス端末は専用のエアリンクリソースを割当てられない。アクセス端末とアクセスネットワークとの間の通信はアクセスチャンネルと制御チャンネルで行われる。
【００３０】
開接続：接続が開いたとき、アクセス端末は順方向トラフィックチャンネル、逆方向パワー制御チャンネル、逆方向トラフィックチャンネルを割当てられる。アクセス端末とアクセスネットワーク間の通信はこれらの割当てられたチャンネルと制御チャンネルによって行われる。
【００３１】
接続層は１実施形態にしたがって、図４で示されているように組織される。
【００３２】
初期状態プロトコル402 ：このプロトコルはアクセスネットワークの獲得に関連する動作を行う。
【００３３】
エアリンク管理プロトコル404 ：このプロトコルはアクセス端末とアクセスネットワークの全体的な接続状態を維持する。このプロトコルはアクセス端末がネットワークを既に獲得しているか（初期状態）、ネットワークを獲得しているが接続が閉じているか（アイドル状態）またはアクセスネットワークと開接続しているか（接続状態）に対応して３つの状態の１つである。このプロトコルは現在の状態の機能として以下の３つのプロトコルの１つを付勢する。
【００３４】
パケット合併プロトコル406 ：このプロトコルは割当てられた優先順位およびターゲット送信チャンネルの機能として送信するためパケットを合併し優先順位を付ける。
【００３５】
接続状態プロトコル408 ：このプロトコルは開接続を有するアクセス端末に関連する動作を行い、アクセス端末とアクセスネットワークとの間の無線リンクを管理する。
【００３６】
ルート更新プロトコル410 ：このプロトコルはアクセス端末の位置の追跡を維持し、アクセス端末とアクセスネットワークとの間に無線リンクを維持することに関連する動作を行う。このプロトコルもパイロットにおいて管理を行う。
【００３７】
アイドル状態プロトコル412 ：このプロトコルはネットワークを獲得しているが開接続を持たないアクセス端末に関連する動作を行い、この動作は実効的なページング、接続を開くこと、アクセス端末パワー節約をサポートするためにアクセス端末のおおよその位置の追跡を維持することを含んでいる。
【００３８】
オーバーヘッドメッセージプロトコル414 ：このプロトコルは制御チャンネルによって基本的なパラメータを放送する。これらのパラメータは接続層のプロトコルおよび他の層のプロトコルにより共有される。このプロトコルもまた接続層機能を維持するのに必要なメッセージの管理を行う。
【００３９】
エアリンク管理プロトコルと、その子孫、およびオーバーヘッドメッセージプロトコルは制御プロトコルである。パケット合併プロトコルは送信され受信されたデータについて動作する。
【００４０】
セキュリティ層310 は以下のプロトコルを含んでいる。
キー交換プロトコル：これは認証および暗号化のためにセキュリティーキーを交換するためにアクセスネットワークとアクセス端末により後続される手順を行う。
認証プロトコル：これはトラフィックの認証のためアクセスネットワークとアクセス端末により後続される手順を行う。
暗号化プロトコル：これはトラフィックの暗号化のためにアクセスネットワークとアクセス端末により後続される手順を行う。
セキュリティプロトコル：これは認証プロトコルと暗号化プロトコルにより使用されることができるコードの発生のための手順を行う。
【００４１】
ＭＡＣ層312 は以下のプロトコルを含んでいる。
制御チャンネル中間アクセス制御（ＭＡＣ）プロトコル：これは送信のためのアクセスネットワークと制御チャンネルの受信のためのアクセス端末とにより後続される手順を行う。
アクセスチャンネルＭＡＣプロトコル：これは送信のためにアクセス端末により、またアクセスチャンネルの受信のためにアクセスネットワークにより後続される手順を行う。
順方向トラフィックチャンネルＭＡＣプロトコル：これは送信のためにアクセスネットワークにより、また順方向トラフィックチャンネルの受信のためにアクセス端末により後続される手順を行う。
逆方向トラフィックチャンネルＭＡＣプロトコル：これは送信のためにアクセス端末により、また逆方向トラフィックチャンネルの受信のためにアクセスネットワークより後続される手順を行う。
【００４２】
物理層314 は順方向および逆方向リンクのチャンネル構造、周波数、パワー出力および変調仕様を与える。
【００４３】
［アイドル状態プロトコル］
アイドル状態プロトコル412 はアクセス端末がネットワークを獲得し、接続が開かれていないときアクセス端末とアクセスネットワークにより使用される手順およびメッセージを提供する。このプロトコルはアクセス端末の状態転移を示している図５と、アクセスネットワークの状態転移を示している図６とに示されているように、以下の４つの状態の１つで動作する。
【００４４】
休止状態：この状態では、プロトコルは付勢コマンドを待機する。
休眠状態：この状態では、アクセス端末はパワーを節約するためにそのサブシステムの一部を遮断する。アクセス端末は順方向チャンネルを監視せず、アクセスネットワークはアクセス端末へ導かれるユニキャストパケットを送信しない。
【００４５】
監視状態：この状態では、アクセス端末は制御チャンネルを監視し、ページメッセージを聞き、必要ならばオーバーヘッドメッセージプロトコルから受信されたパラメータを更新する。アクセスネットワークはこの状態でアクセス端末にユニキャストパケットを送信する。
【００４６】
接続セットアップ状態：この状態では、アクセス端末とアクセスネットワークは接続をセットアップできる。
【００４７】
アイドル状態プロトコル412 （図４）はアクセス端末により制御チャンネルの周期的なネットワーク監視をサポートし、以下の例示的なアクセス端末動作モード下で大きなパワー節約を可能にする。
連続動作：これにおいてはアクセス端末が連続して制御チャンネルを監視する。
中断モード動作：これにおいてはアクセス端末が時間期間だけ連続して制御チャンネルを監視し、続いてスロットモードで動作する。中断モードに続いてエアリンク管理プロトコル動作が行われ、迅速なネットワーク開始再接続が可能である。
スロットされたモード動作：アクセス端末は選択されたスロットのセットを監視する。
【００４８】
［休眠状態］
アクセス端末が休眠状態であるとき、制御チャンネルの監視を停止することができる。この状態では、アクセス端末はパワーの消費を減少するため幾つかのリソースの処理を中断する。アクセス端末が接続を開くことを必要とするならば、接続セットアップ状態に転移する。アクセスネットワークが休眠状態にあるとき、ユニキャストパケットをアクセス端末へ送信することが禁止されてもよい。アクセスネットワークとアクセス端末は各制御チャンネルサイクルにおいて送信される同期的なカプセルをそれぞれ送信し受信する時間に休眠状態から監視状態へ転移する。
【００４９】
［監視状態］
アクセス端末が監視状態であるとき、制御チャンネルを監視する。アクセスネットワークが監視状態であるとき、ユニキャストパケットをアクセス端末へ送信する。アクセス端末は監視状態であるときＣＤＭＡチャンネルを選択し、オーバーヘッドメッセージプロトコルセクションで特定されたようにオーバーヘッドメッセージを監視する。
【００５０】
監視状態のアクセス端末は以下の条件が満たされるならば休眠状態に転移する。
アクセス端末は監視状態に入って以来送信しているという１つ１つのアクセスプローブに対する応答を受信している。
アクセス端末は監視状態に入って以来受信しているという１つ１つの“アクセスチャンネルＭＡＣ．Ｔｘ開始”指示に対して“アクセスチャンネルＭＡＣ．Ｔｘ終了”指示を受信している。
アクセス端末は現在が中断期間であることを公示していない。関連する接続閉メッセージで公示されている時間が現在のシステム時間よりも大きいならば、中断期間は現在である。
【００５１】
［オーバーヘッドメッセージプロトコル］
迅速な構成メッセージとセクタパラメータメッセージは集合的にオーバーヘッドメッセージと呼ばれている。アクセスネットワークはこれらのメッセージを制御チャンネルによって放送する。これらのメッセージは多数のプロトコルに関与し、それ故別々に特定される。オーバーヘッドメッセージプロトコルはこれらのメッセージの送信、受信、監督に関連する手順を行う。このプロトコルは以下の２つの状態の一方である。
休止状態：この状態では、プロトコルは付勢コマンドを待機する。この状態はアクセス端末のみに対応し、アクセス端末がアクセスネットワークを獲得していないかオーバーヘッドメッセージを受信する必要がないときに生じる。
アクチブ状態：この状態では、アクセスネットワークはオーバーヘッドメッセージを送信し、アクセス端末はそれを受信する。
【００５２】
アクセスネットワークは１つ１つの同期的なカプセル（ＳＣ）に、アクセスネットワークが制御チャンネルサイクル（ＣＣＣ）で送信することのできる迅速な構成メッセージ（ＱＣＭ）を含んでいる。アクセスネットワークはまた少なくとも一度１つ１つの特定された数のＣＣＣでＳＣ中にセクタパラメータメッセージを含んでいる。アクセスネットワークはＱＣＭのオーバーヘッド署名フィールドを次のセクタパラメータメッセージのオーバーヘッド署名フィールドへ設定する。アクセス端末が更新されたオーバーヘッドメッセージを維持することを必要とするとき、以下説明するようにＱＣＭとセクタパラメータメッセージについて管理を行う。
【００５３】
アクセス端末がＱＣＭを受信したとき、そこからオーバーヘッド署名を決定することができる。受信されたＱＣＭのオーバーヘッド署名フィールドの値がオーバーヘッド署名の記憶された値と異なるならば、アクセス端末はそれが最新のセクタパラメータメッセージを受信するまで次のＳＣを監視する。そうでなければアクセス端末は休眠状態へ転移する。
【００５４】
アクセス端末が一度最新のセクタパラメータメッセージを受信すると、将来比較するためにメッセージに関連するオーバーヘッド署名を記憶する。アクセス端末は先に監視されたセクタからのパラメータの獲得の速度を高めるためにオーバーヘッドメッセージパラメータおよび署名をキャッシュ（記憶）する。
【００５５】
［迅速な構成メッセージ］
迅速な構成メッセージ（ＱＣＭ）はオーバーヘッドメッセージ内容の変化と他の頻繁に変化する情報を示すために使用される。ＱＣＭはオーバーヘッド署名フィールドのようなフィールドを含んでいる。アクセスネットワークはそれが送信する次のセクタのパラメータメッセージのオーバーヘッド署名フィールドの値へこのフィールドを設定する。
【００５６】
［セクタパラメータメッセージ］
セクタパラメータメッセージはセクタの特別な情報をアクセス端末へ伝送するために使用されることができる。セクタパラメータはオーバーヘッド署名フィールドのようなフィールドを含むことができる。アクセスネットワークはセクタパラメータメッセージの内容が変化したならばこのフィールドを変更することができる。
【００５７】
［ＭＡＣ層］
ＭＡＣ層312 （図３）は以下説明するように、制御チャンネル、アクセスチャンネル、順方向トラフィックチャンネル、逆方向トラフィックチャンネルの動作を支配するルールを含んでいる。
【００５８】
制御チャンネルＭＡＣプロトコル：このプロトコルは１以上のセキュリティ層パケットから制御チャンネルＭＡＣ層パケットを作成する。このプロトコルは制御チャンネルにおけるアクセスネットワーク送信およびパケットスケジュール化、制御チャンネルの端末獲得、制御チャンネルＭＡＣ層パケット受信に関するルールを含んでいる。このプロトコルはまた送信パケットへアクセス端末アドレスを付加することができる。
【００５９】
アクセスチャンネルＭＡＣプロトコル：このプロトコルはアクセスチャンネルの送信タイミングおよびパワー特性を支配するルールを含んでいる。
【００６０】
順方向トラフィックチャンネルＭＡＣプロトコル：このプロトコルは順方向トラフィックチャンネルの動作を支配するルールを含んでいる。このプロトコルはデータレート制御チャンネルを送信するときにアクセス端末がしたがうルールと共に、アクセスネットワークがこのチャンネルの解釈に使用するルールを含んでいる。このプロトコルは順方向トラフィックチャンネルの可変レートと固定レートの両動作をサポートする。
【００６１】
逆方向トラフィックチャンネルＭＡＣプロトコル：このプロトコルは逆方向トラフィックチャンネルの動作を支配するルールを含んでいる。このプロトコルはアクセスネットワークが逆方向トラフィックチャンネルを獲得することを助けるためにアクセス端末がしたがうルールを含んでいる。このプロトコルはまたアクセス端末とアクセスネットワークが逆方向トラフィックチャンネルの送信レートを選択するためにしたがうルールを含んでいる。
【００６２】
送信方向では、ＭＡＣ層はセキュリティ層パケットを受信し、層に関連するヘッダ、トレーラ、パッディングを付加し、物理層へ送信するための結果的なパケットを転送する。受信方向では、ＭＡＣ層は物理層からＭＡＣパケットを受信し、層に関連するヘッダ、トレーラ、パッディングを除去した後、それらをセキュリティ層へ転送する。
【００６３】
図７は制御チャンネル、アクセスチャンネル、順方向および逆方向トラフィックチャンネルにおけるセキュリティ層パケット、ＭＡＣパケット、物理層パケットの間の関係を示している。
【００６４】
［制御チャンネルＭＡＣプロトコル］
制御チャンネルＭＡＣプロトコルはアクセスネットワークが制御チャンネルを送信し、アクセス端末がそれを受信するのに必要な手順およびメッセージを提供することができる。アクセスネットワークは全てのアクセス端末でこのプロトコルの１つのインスタンスを有する。このプロトコルは以下の２つの状態の一方である。
休止状態：この状態では、プロトコルは付勢コマンドを待機する。この状態はアクセス端末にのみ対応し、アクセス端末がアクセスネットワークを獲得していないか制御チャンネルを監視していないときに生じる。
アクチブ状態：この状態ではアクセスネットワークは制御チャンネルを送信し、アクセス端末はそれを受信する。
【００６５】
このプロトコルの送信装置は以下に示されているように制御チャンネルＭＡＣ層パケットであってもよく、例えば、
【数１】
2004530347.tif 000003
【００６６】
制御チャンネルＭＡＣプロトコルは物理層へ送信するためのＭＡＣ層パケットを送信することができる。制御チャンネルＭＡＣ層パケットは、特定の時間に送信される同期的なカプセルかまたは同期的なカプセルが送信されるときを除く任意の時間に送信される非同期的カプセルで送信される。同期的なカプセルは１以上の制御チャンネルＭＡＣ層パケットを含んでいる。非同期的カプセルは１つの制御チャンネルＭＡＣ層パケットを含んでいる。
【００６７】
［制御チャンネルサイクル］
ＣＣＣは例えば２５６スロット期間として規定され、これはシステム時間で同期しており、即ちＣＣＣの開始とシステム時間の開始との間に２５６の整数倍のスロットが存在する。
【００６８】
アクセスネットワークは単位セクタ当りで動作する制御チャンネルＭＡＣプロトコルの１インスタンスを有していてもよい。アクセスネットワークはＳＣでの送信を目的としている保留のセキュリティ層パケットからＳＣを構成する。
【００６９】
［物理層チャンネル］
物理層414 （図３）は図８と９で示されている物理層チャンネルと順方向および逆方向チャンネル階層を規定する。
【００７０】
順方向チャンネルは以下の時間多重化チャンネル、即ちパイロットチャンネル、順方向中間アクセス制御（ＭＡＣ）チャンネル、順方向トラフィックチャンネル、制御チャンネルを含んでいる。トラフィックチャンネルはユーザデータの物理層パケットを伝送する。制御チャンネルは制御メッセージを伝送し、またユーザトラフィックを伝送してもよい。各チャンネルは符号分割多元直交ウォルシュチャンネルへさらに分解される。
【００７１】
順方向リンクはそれぞれ例えば２０４８チップの長さを有するスロットからなる。１６スロットのグループはゼロオフセットＰＮシーケンスのＰＮロールへ割当てられ、偶数の秒毎にシステム時間に整列される。各スロット内において、パイロット、ＭＡＣ、トラフィックまたは制御チャンネルは時分割多重化され、同じパワーレベルで送信されることができる。
【００７２】
図１０は例示的な順方向リンクスロット構造を示している。
【００７３】
制御チャンネルは７６．８ＫＢＰＳまたは３８．４ＫＢＰＳの例示的なレートでアクセス端末誘導メッセージを送信する。制御チャンネルの変調特性は対応するデータレートの順方向トラフィックチャンネルの変調特性と同じである。制御チャンネル送信はプリアンブルを有することにより順方向トラフィックチャンネル送信から弁別される。
【００７４】
図１１は制御チャンネルの周期的な監視方式1100を示している。アクセス端末は周期的な監視サイクルで制御チャンネルを監視する。監視サイクルは複数のＣＣＣ1102、1104を含んでいてもよい。この整列では、アクセス端末はウェークの状態であり、ＡＴに導かれるパケットとオーバーヘッドメッセージに対して各ＳＣ1106、1108を連続して監視しなければならない。
【００７５】
オーバーヘッドメッセージはＱＣＭおよびセクタパラメータを含んでいる。セクタパラメータはアクセス端末へ導かれるユニキャストパラメータとオーバーヘッドパラメータとを含んでいる。オーバーヘッドパラメータはアクセス端末に重要なシステム構成パラメータを通知するために制御チャンネルによって送信される。これらのパラメータはシステムパラメータ、アクセスパラメータ、近隣リストを含むことができる。システムパラメータはハンドオフパラメータと順方向パワー制御パラメータを含むことができる。アクセスパラメータは逆方向パワー制御パラメータ、アクセスパラメータ、アクセスチャンネルパラメータを含むことができる。近隣リストはアクセス端末が使用する近傍セクタのリストを含むことができる。オーバーヘッドパラメータはＡＴに導かれるメッセージと同程度に頻繁に更新される必要はない。ユニキャストパラメータは頻繁に例えばＳＣ1106、1108毎に更新される必要があるが、オーバーヘッドパラメータは頻繁に更新される必要はない。
【００７６】
制御チャンネル監視方式では、図１１により表されているように、基地局へ送信される新しいオーバーヘッドパラメータが現在存在しなくても、移動局は制御チャンネルで送信されるＳＣ1106、1108を連続して監視しなければならない。これはＳＣ1106、1108の送信中の任意の点でアクセスネットワークがユニキャストパケットを送信するためである。これはウェーク状態を維持し、既に受信されて記憶されている冗長オーバーヘッドパラメータを受信することに貴重な電池寿命を受信アクセス端末に使用させている。
【００７７】
図１２は本発明の１実施形態にしたがった制御チャンネルの周期的な監視方式1200を示している。アクセス端末は監視サイクルで制御チャンネルを周期的に監視し、これは１以上のＣＣＣインターバル1202と1204を含んでいる。本発明の１実施形態では、監視サイクルは１２のＣＣＣまたは５．１２秒を含んでいる。ＳＣ1206、1208が送信される期間の時間インターバルは第１の時間期間と第２の時間期間とを含んでいる。第１の時間期間中の休眠状態同期的カプセル（ＳＳＳＣ）1210、1212では、アクセスネットワークはＱＣＭ1214と１以上のＡＴに導かれるパケット1216を送信する。ＡＴに導かれるパケットはアクセス端末へ導かれるユニキャストメッセージおよびパラメータを含んでいる。アクセスネットワークは第２の時間インターバル中に、ＳＣ1206、1208に含まれているオーバーヘッドパラメータのセットもまた送信する。アクセスネットワークは例えばオーバーヘッド署名等の証印を両者に含めることによって同一のＳＣで送信されるオーバーヘッドパラメータの比較セットへＱＣＭをユニークにリンクする。
【００７８】
本発明の１実施形態によれば、アクセスネットワークは第２の時間期間中に送信されるオーバーヘッドパラメータとは別に、第１の時間期間中にＱＣＭ1214とＡＴに導かれるパケット1216とを送信することができる。それ故、アクセス端末は図１２、１３に関連して以下説明するようにＳＳＳＣ1210、1212だけを監視する必要がある。
【００７９】
ステップ1302（図１３）で、制御チャンネルの初期ＳＣ1206を監視するとき、アクセス端末はステップ1304で初期ＳＳＳＣ1210中にＱＣＭ1214を受信する。ステップ1306で、アクセス端末は受信されたＱＣＭ1214から初期オーバーヘッド署名を決定する。ステップ1308で、アクセス端末は初期オーバーヘッド署名（ＯＳ）を記憶する。アクセス端末はまた同一の初期ＳＳＳＣ1210中にＡＴに導かれるパケット1216を受信する。続いてステップ1310で、アクセス端末は同一の初期ＳＣ1206に含まれるオーバーヘッドパラメータの初期セットを受信し記憶し、これは第２の時間インターバル中に送信される、その後、アクセス端末は休眠モードになるか、或いは残りの初期ＣＣＣ時間期間1202で初期ＳＣ1206の最後に待機モードに入る。
【００８０】
アクセス端末はその後のＳＣ1208を監視するために後続するＣＣＣ1204の開始でウェークアップする。そうすることで、アクセス端末はステップ1312でＳＳＳＣ1212を監視し、ステップ1314で新しいＱＣＭを受信し、ステップ1316でそこからオーバーヘッド署名を決定する、アクセス端末が最新のオーバーヘッドパラメータを含んでいるか否かを決定し、したがってＳＣ期間全体の制御チャンネルの監視を避けるために、アクセス端末はステップ1318で以前に保存されたオーバーヘッド署名を現在受信したオーバーヘッド署名と比較する。これらのオーバーヘッド署名が一致したならば、アクセス端末はオーバーヘッドパラメータの最新のセットを含んでおり、したがってアクセス端末はステップ1320でさらに制御チャンネルを監視するのを停止する。この場合、アクセス端末は休眠モードになるか待機モードに入る。本発明の１実施形態によれば、アクセス端末は現在のＳＳＳＣ1212の最後に休眠状態になる。アクセス端末は次の監視サイクルまで、即ちステップ1312で次のＳＣを監視するためにステップ1324でアクセス端末がウェークアップするときまで休眠モードである。
【００８１】
しかしながら、現在受信されたオーバーヘッド署名が最も最近記憶されたオーバーヘッド署名と一致しないならば、アクセス端末は最も更新されたオーバーヘッドパラメータをもたず、したがってアクセス端末はアクセス端末がオーバーヘッドパラメータの最新セットを適切に受信するまで次のＳＣを監視し続けなければならない。それ故、ステップ1326でアクセス端末は現在のオーバーヘッド署名を記憶し、ステップ1328でアクセス端末は現在のオーバーヘッドパラメータを受信して記憶する。アクセス端末はもう一方のＱＣＭに含まれるオーバーヘッド署名と同一のオーバーヘッド署名を有するオーバーヘッドパラメータのセットを見つけるまでその次のＳＣを監視し続ける。この場合、アクセス端末はそれがオーバーヘッドパラメータの最新セットを適切に受信し記憶した後、休眠モードになるか待機モードに入る。本発明の１実施形態によれば、アクセス端末は現在のＳＣの最後またはその前に休眠モードに入り、これはオーバーヘッドパラメータの最新セットを伝播する。この場合、アクセス端末は現在の残りの監視サイクルで休眠モードを続ける。
【００８２】
本発明の１実施形態にしたがって、前述したように制御チャンネルのオーバーヘッドパラメータのバルクな送信からＡＴに導かれるメッセージの送信を分離することによって、アクセス端末はＳＳＳＣの最後で制御チャンネルの監視を停止することができる。アクセス端末がすぐに例えばＳＳＳＣの最後に休眠モードに入ることを可能にすることは、さらに電池寿命を有効に節約する。
【００８３】
任意の種々の異なる技術および方法を使用して情報および信号が表されることを当業者は理解するであろう。例えば、前述の説明を通して参照されたデータ、命令、コマンド、情報、信号、ビット、シンボル、チップは電圧、電流、電磁波、磁界または粒子、光フィールドまたは粒子、或いは任意のその組合わせにより表されることができる。
【００８４】
ここで説明した実施形態を伴った種々の図示の論理ブロック、モジュール、回路、アルゴリズムステップは電子ハードウェア、コンピュータソフトウェア、または両者の組合わせとして構成されることをさらに当業者は認識するであろう。ハードウェアとソフトウェアのこの交換性を明白に示すため、種々の例示のコンポーネント、ブロック、モジュール、回路、ステップをそれらの機能に関して前述した。このような機能はハードウェアまたはソフトウェアとして構成されるかはシステム全体に課された特定の応用と設計制約に基づいている。当業者は説明した機能を各特定のアプリケーションで可変の方法を実施するが、このような構成の決定は本発明の技術的範囲から逸脱すると解釈されるべきではない。
【００８５】
ここで説明した実施形態を伴って説明された種々の例示の論理ブロック、モジュール、回路は汎用目的のプロセッサ、デジタル信号プロセッサ（ＤＳＰ）、特定用途向け集積回路（ＡＳＩＣ）、フィールドプログラム可能なゲートアレイ（ＦＰＧＡ）、または他のプログラム可能な論理装置、ディスクリートなゲートまたはトランジスタ論理装置、ディスクリートなハードウェアコンポーネントまたはここで説明した機能を行うように設計された任意のその組合わせで構成され、または実行される。汎用目的のプロセッサはマイクロプロセッサであってもよいが、その代わりに、プロセッサは任意の通常のプロセッサ、制御装置、マイクロ制御装置または状態マシーンであってもよい。プロセッサはまたコンピュータ装置の組合わせ、例えばＤＳＰとマイクロプロセッサ、複数のマイクロプロセッサ、ＤＳＰコア或いは任意の他のこのような構造を伴った１以上のマイクロプロセッサとして構成されることもできる。
【００８６】
ここで説明した実施形態を伴って説明された方法またはアルゴリズムのステップはハードウェアで、プロセッサにより実行されるソフトウェアモジュールで、または２つの組合わせで直接実施されてもよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、取出し可能なディスク、ＣＤ−ＲＯＭ、または技術で知られている任意の他の形態の記憶媒体に存在する。例示的な記憶媒体はプロセッサが記憶媒体から情報を読取り、そこへ情報を書込めるようにプロセッサに結合されている。その代わりに、記憶媒体はプロセッサと一体でもよい。プロセッサおよび記憶媒体はＡＳＩＣに配置されてもよい。ＡＳＩＣはアクセス端末に配置されることができる。その代わりに、プロセッサおよび記憶媒体はアクセス端末のディスクリートなコンポーネントとして存在してもよい。
【００８７】
開示された実施形態の前述の説明は当業者が本発明を実行または使用できるようにするために行なわれた。これらの実施形態に対する種々の変形は当業者には容易に明白であり、ここで規定されている一般原理は本発明の技術的範囲を逸脱せずに他の実施形態に応用されてもよい。したがって本発明はここで示した実施形態に限定されることを意図するものではなく、ここで説明した原理および優秀な特徴と一貫して最も広範囲にしたがうことを意図している。
【図面の簡単な説明】
【００８８】
【図１】複数のユーザをサポートする無線通信システムの概略図。
【図２】基地局と移動局の１実施形態の簡単化されたブロック図。
【図３】エアインターフェースのプロトコルを表した図。
【図４】接続層のプロトコルを表した図。
【図５】アイドル状態のプロトコルの状態図。
【図６】アイドル状態のプロトコルの状態図。
【図７】ＭＡＣ層パケットとカプセルを表した図。
【図８】順方向リンクチャンネルを表した図。
【図９】逆方向リンクチャンネルを表した図。
【図１０】順方向リンクスロット構造を表した図。
【図１１】制御チャンネルの周期的な監視方式を表した図。
【図１２】制御チャンネルの周期的な監視方式を表した図。
【図１３】制御チャンネルの周期的な監視方式のフローチャート。
【図１】
2004530347.tif 000004
【図２】
2004530347.tif 000005
【図３】
2004530347.tif 000006
【図４】
2004530347.tif 000007
【図５】
2004530347.tif 000008
【図６】
2004530347.tif 000009
【図７】
2004530347.tif 000010
【図８】
2004530347.tif 000011
【図９】
2004530347.tif 000012
【図１０】
2004530347.tif 000013
【図１１】
2004530347.tif 000014
【図１２】
2004530347.tif 000015
【図１３】
2004530347.tif 000016
【国際公開パンフレット】
2004530347.tif 000017
2004530347.tif 000018
2004530347.tif 000019
2004530347.tif 000020
2004530347.tif 000021
2004530347.tif 000022
2004530347.tif 000023
2004530347.tif 000024
2004530347.tif 000025
2004530347.tif 000026
2004530347.tif 000027
2004530347.tif 000028
2004530347.tif 000029
2004530347.tif 000030
2004530347.tif 000031
2004530347.tif 000032
2004530347.tif 000033
2004530347.tif 000034
2004530347.tif 000035
2004530347.tif 000036
2004530347.tif 000037
2004530347.tif 000038
2004530347.tif 000039
2004530347.tif 000040
2004530347.tif 000041
2004530347.tif 000042
2004530347.tif 000043
2004530347.tif 000044
2004530347.tif 000045
2004530347.tif 000046
2004530347.tif 000047
2004530347.tif 000048
2004530347.tif 000049
2004530347.tif 000050
2004530347.tif 000051
2004530347.tif 000052
2004530347.tif 000053
2004530347.tif 000054
2004530347.tif 000055
【国際調査報告】
2004530347.tif 000056
2004530347.tif 000057
2004530347.tif 000058